(57)【特許請求の範囲】
【請求項１】
庫口が形成された壁面に沿って往復移動することにより、前記庫口を開閉するスライド扉を備えた冷蔵庫に設けられ、ロックユニットと協働して前記スライド扉を施錠する、冷蔵庫のスライド扉施錠用受けユニットであって、
前記スライド扉の閉方向端面と前記壁面の何れか一方に固定される筐体と、
前記筐体に回動可能に支持される軸部を含み、前記ロックユニットと係合するように前記筐体から突出するロック姿勢と前記筐体内に倒伏する退避姿勢との間で回動できる受け部材と、
前記筐体に取り付けられ、前記受け部材を前記ロック姿勢および前記退避姿勢のそれぞれの姿勢において付勢するばね部材と、を備え、
前記軸部は、前記ばね部材と当接するカム面を含み、
前記カム面は、前記受け部材がロック姿勢にあるときには、前記受け部材を前記ロック姿勢に付勢する前記ばね部材の付勢力を受けるように構成された第１の受圧部と、前記受け部材が前記退避姿勢にあるときには、前記受け部材を前記退避姿勢に付勢する前記ばね部材の付勢力を受けるように構成された第２の受圧部とを含む
ことを特徴とする冷蔵庫のスライド扉施錠用受けユニット。
【請求項２】
請求項１に記載の冷蔵庫のスライド扉施錠用受けユニットにおいて、
前記ばね部材は、前記退避姿勢にある前記受け部材に沿った姿勢で配置され、且つ一端部が前記筐体に固定されるとともに他端部が前記カム面を押圧する板ばねで構成されている
ことを特徴とする冷蔵庫のスライド扉施錠用受けユニット。
【請求項３】
請求項１または２に記載の冷蔵庫のスライド扉施錠用受けユニットと、
前記冷蔵庫のスライド扉施錠用受けユニットと協働して施錠手段を構成するロックユニットと
を備えた施錠装置であって、
前記ロックユニットは、前記受け部材に係合する係合姿勢と前記受け部材から離脱する離脱姿勢との間で変位するフック部材を含み、且つ前記スライド扉の閉方向端面と前記壁面の何れか他方に固定されている
ことを特徴とする施錠装置。
【請求項４】
請求項３に記載の施錠装置において、
前記受けユニットは、前記スライド扉の閉方向端面に取り付けられており、
前記ロックユニットは、前記冷蔵庫の中から当該ロックユニットを前記壁面から取り外し操作可能な取付部材によって前記壁面に固定されている
ことを特徴とする施錠装置。
【請求項５】
請求項４に記載の施錠装置において、
前記軸部は、鉛直軸回りに前記筐体に支持されているものであり、
前記受け部材は、前記スライド扉の移動方向に沿ってロック姿勢に突出するものであり、
前記フック部材は、鉛直線回りに回動する腕部と、前記腕部の先端部から回動方向に突出する爪部とを備え、前記受け部材に対し、前記壁面に近接する方向へ回動することにより、前記離脱姿勢から前記係合姿勢に変位するものである
ことを特徴とする施錠装置。
【発明の詳細な説明】
【技術分野】
【０００１】
本発明は、冷蔵庫のスライド扉施錠用受けユニット及び施錠装置に関する。
【背景技術】
【０００２】
業務用の冷蔵庫は、例えば、組立式プレハブ冷蔵庫、冷凍庫、保管庫あるいは保冷庫およびプレハブ式クリーンルーム等の構造物である。これら業務用の冷蔵庫は、冷蔵庫の一壁面には、庫口が開口している。また、これら業務用の冷蔵庫は、何れも大型であり、庫口の開口面積も広い。そのため、これら業務用の冷蔵庫の多くは、スライド扉を採用している。スライド扉は、庫口が設けられた壁面に沿って往復移動することによって当該庫口を開閉する。
【０００３】
冷蔵庫の戸締まりのため、庫口には、種々の施錠手段が設けられる。例えば、特許文献１には、施錠用の装置が開示されている。
【０００４】
同装置は、受け金具と引戸鍵とを備えている。
【０００５】
受け金具は、蝶番である。受け金具は、鉛直軸回りに連結される一対の板状部を有する。一方の板状部は、庫口周縁部の壁面に固定される。他方の板状部は、フックを係脱させる受け座を有する。この他方の板状部は、一方の板状部と重なって収まる倒伏位置と、一方の板状部と平面視９０°の姿勢に起立する起立位置との間で変位する。
【０００６】
引戸鍵は、スライド扉の閉方向（庫口をスライド扉が閉じる方向に移動するときの移動方向）の端面に埋設されるユニットである。引戸鍵は、受け座に係脱するフックを備えている。フックは、スライド扉の前後方向に沿う軸回りに回動し、ロック姿勢と解除姿勢との間において変位する。フックがロック姿勢を取っている場合、フックは、前記端面から突出して、起立状態の板状部の受け座と係合する。また、フックが解除姿勢を取っている場合、フックは、受け座から離脱して前記端面の内側に収納される。
【先行技術文献】
【特許文献】
【０００７】
【特許文献１】特開平８−２１６８２号公報
【発明の概要】
【発明が解決しようとする課題】
【０００８】
特許文献１に開示された装置を使用した場合には、操作性や外観が向上する。
【０００９】
ところが、特許文献１に開示された装置では、受け金具が一対の板状部を鉛直軸回りに連結した単純な蝶番で構成されていたため、受け座を有する板状部は、常に自由に変位する状態になっており、受け座の位置が定まり難い構成になっていた。そのため、受け座にフックを係合させる際、受け座とフックとの位置合わせが困難になり、ロック作業がやりにくく、作業性が悪かった。かかる不具合を解消するため、受け座を有する板状部をロック姿勢に付勢する付勢部材を設けることも考えられる。しかし、その場合には、受け座を有する板状部が常時、ロック姿勢に付勢されていることになり、冷蔵庫のユーザの邪魔になる。そのため、何れの場合も利便性が低いと考えられる。
【００１０】
本発明は、上述した課題に鑑みてなされたものであり、操作性や外観を向上するに当たり、操作の確実性をも確保し、より利便性を高めることのできる冷蔵庫のスライド扉施錠用受けユニット及び施錠装置を提供することを課題としている。
【課題を解決するための手段】
【００１１】
上記課題を解決するために、本発明は、庫口が形成された壁面に沿って往復移動することにより、前記庫口を開閉するスライド扉を備えた冷蔵庫に設けられ、ロックユニットと協働して前記スライド扉を施錠する、冷蔵庫のスライド扉施錠用受けユニットであって、前記スライド扉の閉方向端面と前記壁面の何れか一方に固定される筐体と、前記筐体に回動可能に支持される軸部を含み、前記ロックユニットと係合するように前記筐体から突出するロック姿勢と前記筐体内に倒伏する退避姿勢との間で回動できる受け部材と、前記筐体に取り付けられ、前記受け部材を前記ロック姿勢および前記退避姿勢のそれぞれの姿勢において付勢するばね部材と、を備え、前記軸部は、前記ばね部材と当接するカム面を含み、前記カム面は、前記受け部材がロック姿勢にあるときには、前記受け部材を前記ロック姿勢に付勢する前記ばね部材の付勢力を受けるように構成された第１の受圧部と、前記受け部材が前記退避姿勢にあるときには、前記受け部材を前記退避姿勢に付勢する前記ばね部材の付勢力を受けるように構成された第２の受圧部とを含むことを特徴とする冷蔵庫のスライド扉施錠用受けユニットである。
【００１２】
この態様では、受けユニットの受け部材をロックユニットと協働させ、庫口を閉じたスライド扉を施錠し、スライド扉を用いた冷蔵庫のセキュリティを確保することができる。従って、施錠時の操作性が高くなり、外観が向上する。
【００１３】
しかも、本態様では、施錠が必要なときにのみ、受け部材を筐体から突出させておくことができる。一方、スライド扉が庫口を開いているときは、受け部材を筐体内に倒伏させて、退避姿勢を取ることができる。従って、冷蔵庫の美感が向上するばかりでなく、庫口の通行時に受け部材がじゃまになる恐れもなくなる。また、受けユニットは、筐体に受け部材を倒伏できるように構成されていることから、スライド扉や壁面に受け部材を出没させるための凹部（埋め込み部）を設ける必要がない。そのため、施工が容易にでき、既設の冷蔵庫に対しても後付けが容易になるという利点がある。
【００１４】
加えて、受け部材がロック姿勢にある場合、ばね部材の付勢力は、第１の受圧部から受け部材に伝達され、受け部材は、ロック姿勢に加勢される。一方、受け部材が退避姿勢にある場合、ばね部材の付勢力は、第２の受圧部から受け部材に伝達され、受け部材は、退避姿勢に加勢される。従って、ばね部材で受け部材を付勢することにより、受け部材の姿勢を安定させることができる。しかも、ロック姿勢と退避姿勢との間で受け部材の姿勢が切り替わる過程で、ばね部材の付勢力を受ける部位が第１の受圧部と第２の受圧部との間で切り替わるたびに、作業者は、ばね部材の付勢力が切り替わるのを感じ取る（いわゆるクリック感を得る）ことができ、操作の確実性を確保することも可能となる。
【００１５】
好ましい態様の冷蔵庫のスライド扉施錠用受けユニットにおいて、前記ばね部材は、前記退避姿勢にある前記受け部材に沿った姿勢で配置され、且つ一端部が前記筐体に固定されるとともに他端部が前記カム面を押圧する板ばねで構成されている。この態様では、板ばねで構成されたばね部材が退避姿勢にある受け部材に沿った姿勢で配置されるので、ばね部材として圧縮コイルばねを用いる場合に比べ、冷蔵庫のユーザの邪魔にならないように筐体の薄型化に寄与することができ、美感も向上する。
【００１６】
本発明の別の態様は、上記冷蔵庫のスライド扉施錠用受けユニットと、前記冷蔵庫のスライド扉施錠用受けユニットと協働して施錠手段を構成するロックユニットとを備えた施錠装置であって、前記ロックユニットは、前記受け部材に係合する係合姿勢と前記受け部材から離脱する離脱姿勢との間で変位するフック部材を含み、且つ前記スライド扉の閉方向端面と前記壁面の何れか他方に固定されていることを特徴とする施錠装置である。この態様では、受け部材の操作時にクリック感を得ることのできる受けユニットを用いて、庫口を閉じたスライド扉を施錠し、スライド扉を用いた冷蔵庫のセキュリティを確保することができる。従って、外観が向上するばかりでなく、施錠時の操作性が格段に高くなる。
【００１７】
好ましい態様の施錠装置において、前記受けユニットは、前記スライド扉の閉方向端面に取り付けられており、前記ロックユニットは、前記冷蔵庫の中から当該ロックユニットを前記壁面から取り外し操作可能な取付部材によって前記壁面に固定されている。この態様では、作業者等が冷蔵庫の中にいる場合において、不随意にロックがかかったときに、作業者等は、冷蔵庫の中から取付部材を操作することにより、ロックユニットを強制的に壁面から離脱することができる。これにより、緊急時に作業者等が冷蔵庫の中から施錠装置のロックを解除し、冷蔵庫の外に出ることが可能になる。
【００１８】
前記取付部材を採用した好ましい態様の施錠装置において、前記軸部は、鉛直軸回りに前記筐体に支持されているものであり、前記受け部材は、前記スライド扉の移動方向に沿ってロック姿勢に突出するものであり、前記フック部材は、鉛直線回りに回動する腕部と、前記腕部の先端部から回動方向に突出する爪部とを備え、前記受け部材に対し、前記壁面に近接する方向へ回動することにより、前記離脱姿勢から前記係合姿勢に変位するものである。この態様では、スライド扉が左開きのものであっても右開きのものであっても、同一の受けユニットおよびロックユニットを採用することができる。このため、製品に汎用性を持たせることができ、部品管理や流通性が向上することになる。また、本態様では、フック部材は、前記受け部材に対し、前記壁面に近接する方向へ回動することにより、離脱姿勢から係合姿勢に変位するように構成されているので、ロックユニットが壁面から外れるときの方向は、フック部材が係合姿勢から離脱姿勢に移動する方向に沿うことになる。そのため、ロックユニットの壁面に対する締結を解除するように上記取付部材を操作しただけで、ロックユニットをフック部材から離脱させることができ、取付部材の構造の簡素化と、取り外し操作の確実性向上に寄与することができる。
【発明の効果】
【００１９】
以上説明したように、本発明によれば、ロックユニットと併用されることにより、庫口を閉じたスライド扉を施錠し、スライド扉を用いた冷蔵庫のセキュリティを確保することができるとともに、施錠時の操作性が高くなり、外観が向上する。しかも、受け部材をロック姿勢と退避姿勢とに変位可能に構成することによって、美感や通行の利便性を向上させるに当たり、ばね部材によって、受け部材の姿勢の安定を図ることができる一方、作業者は、操作時にいわゆるクリック感を得ることによって、操作の確実性を確保することが可能となる。よって、本発明によれば、操作性や外観を向上するに当たり、操作の確実性をも確保し、より利便性を高めることができるという顕著な効果を奏する。
【００２０】
本発明のさらなる特徴、目的、構成、並びに作用効果は、添付図面と併せて読むべき以下の詳細な説明から容易に理解できるであろう。
【図面の簡単な説明】
【００２１】
【図１】本発明の実施の一形態に係る冷蔵庫の正面部分略図である。
【図２】図１の冷蔵庫の平面部分略図である。
【図３】図１の実施形態に係る施錠装置の外観を示す斜視図である。
【図４】図１の実施形態に係る受けユニットの分解斜視図である。
【図５】図１の実施形態に係る受けユニットの筐体の右側面図である。
【図６】図１の実施形態に係る受けユニットの筐体の左側面図である。
【図７】図１の実施形態に係る受けユニットの動作を示す説明図であり、（Ａ）は、ロック姿勢における受けユニットの一部破断断面図、（Ｂ）は、退避姿勢における受けユニットの一部破断断面図である。
【図８】図１の実施形態に係る受けユニットの動作を示す説明図であり、（Ａ）は、ロック姿勢における受けユニットの一部拡大断面図、（Ｂ）は、退避姿勢における受けユニットの一部拡大断面図である。
【図９】図１の実施形態における冷蔵庫の施錠過程の状態を示す断面図である。
【図１０】図１の実施形態における冷蔵庫の施錠時の状態を示す断面図である。
【図１１】図１の実施形態に係るロック構造を示す説明図であり、（Ａ）は、正面部分略図、（Ｂ）は、平面部分略図、（Ｃ）は底面部分略図である。
【発明を実施するための形態】
【００２２】
以下、添付図面を参照して、本発明を実施するための最良の形態について説明する。
【００２３】
まず、図１を参照して、本実施形態に係る施錠装置２０は、業務用の冷蔵庫１に設けられている。冷蔵庫１は、例えば、組立式プレハブ冷蔵庫、冷凍庫、保管庫あるいは保冷庫およびプレハブ式クリーンルーム等である。なお、以下の説明では、図１に示す冷蔵庫１の正面を基準として、図１の左右方向、並びに各図の対応する方向を左右方向とし、図１の上下方向、並びに各図の対応する方向を上下方向とする。
【００２４】
冷蔵庫１は、前壁１ａと、前壁１ａに固定されるハンガーレール２と、ハンガーレール２に吊り下げられるスライド扉４と、スライド扉４の上側を押さえ込んで位置合わせする上部押さえ込み機構５と、スライド扉４の下側を押さえ込んで位置合わせする下部押さえ込み機構６とを備えている。
【００２５】
前壁１ａには、出入口となる庫口３が形成されている。庫口３は、前壁１ａの枠材１５によって、矩形状に縁取られている。この枠材１５を含む前壁１ａは、庫口３を形成する壁面の一例である。なお、壁面は、前壁１ａに限らず、側壁であってもよく、後壁であってもよい。
【００２６】
ハンガーレール２は、庫口３の上縁に沿って水平に延び、スライド扉４を左右にスライド可能にガイドしている。ハンガーレール２は、長手方向に配設された複数のＬ字状の取付金具１０で前壁１ａに固定されている。図２に示すように、ハンガーレール２は、中央部分から屈曲している。この中央部分からハンガーレール２の左半分は、傾斜部分２ａを構成している。傾斜部分２ａは、左側（スライド扉４が庫口３を閉じる方向における下流側）に向かうにつれて前壁１ａに近接する方向に傾斜している。また、中央部分からハンガーレール２の右半分は、平行部分２ｂを構成している。平行部分２ｂは、全長にわたって、前壁１ａと平行に延びている。
【００２７】
スライド扉４は、庫口３を開閉するために設けられ、扉吊り具８、９を介して、ハンガーレール２に吊り下げられている。扉吊り具８、９は、スライド扉４の幅方向両側に配置され、スライド扉４の上面にそれぞれ固定されている。公知の装置と同様に、吊り具８、９は、ハンガーレール２の長手方向に案内されて往復移動する。この往復移動により、スライド扉４は、庫口３を閉じる閉じ位置と、庫口３を開放する開放位置との間で移動することができる。図１は、スライド扉４が開放位置にある状態を示している。また、スライド扉４の背面には、シール部材１６が取り付けられている。
【００２８】
図９を参照して、シール部材１６は、断面が概ね円筒形になった中空の弾性部材（例えば、ゴム製品）である。シール部材１６は、スライド扉４の輪郭に沿って、固定されている。庫口３をスライド扉４が閉じた時、シール部材１６は、庫口３の枠材１５の前面に圧接される。これにより、シール部材１６は、スライド扉４が庫口３を閉じる位置にあるときに、庫口３とスライド扉４との間で圧縮される。圧縮されたシール部材１６は、その反力によって、枠材１５を押し付ける。これにより、シール部材１６は、庫口３とスライド扉４との間の隙間をシールし、気密性を保持する。
【００２９】
上部押さえ込み機構５は、スライド扉４の上部を押さえ込んで、スライド扉４と前壁１ａとの間の気密性を高めるために設けられている。上部押さえ込み機構５は、スライド扉４に取り付けられた上ローラ１１と、前壁１ａに取り付けられた上部ガイドユニット１２とを備えている。上ローラ１１は、スライド扉４の幅方向中間部分において、スライド扉４の上端部に取り付けられている。上ローラ１１は、鉛直軸回りに回転可能に取り付けられている。また、ガイドユニット１２は、庫口３の幅方向中間部分において、庫口３の上縁近傍に取り付けられている。庫口３をスライド扉４で閉じるときに、上ローラ１１は、上部ガイドユニット１２の傾斜面に転がり接触し、上ローラ１１を介してスライド扉４を前壁１ａ側へ接近させる機能を有する。
【００３０】
下部押さえ込み機構６は、スライド扉４の下部を押さえ込んで、スライド扉４と前壁１ａとの間の気密性を高めるために設けられている。下部押さえ込み機構６は、床面に突設された下ローラ１３と、一対の下部ガイドユニット１４とを備えている。下ローラ１３は、床面に鉛直線回りに回動可能に突設され、庫口３をスライド扉４が閉じているときにおいて、スライド扉４の前面の幅方向両側に対向する位置に配置されている。一対の下部ガイドユニット１４は、スライド扉４の前面の上記幅方向両側に取り付けられている。庫口３をスライド扉４で閉じるときに、下ローラ１３は、下部ガイドユニット１４の傾斜面に転がり接触し、下ローラ１３を介してスライド扉４を前壁１ａ側へ接近させる機能を有する。
【００３１】
次に、庫口３を閉じるスライド扉４を施錠する施錠装置２０について、詳述する。
【００３２】
図１および図３を参照して、本実施形態に係る施錠装置２０は、受けユニット４０と、ロックユニット８０とを備えている。受けユニット４０は、スライド扉４の閉方向端面に固定されている。なお、ここで、「閉方向」とは、庫口３をスライド扉４が閉じる方向に移動するときの移動方向をいう（以下、上記移動方向を適宜「閉方向」ともいう。）。また、ロックユニット８０は、前壁１ａの外面に固定されている。ロックユニット８０が固定される位置は、上記閉方向において、枠材１５の鉛直部分よりも下流側（図３における枠材１５の左側）である。スライド扉４が庫口３を閉じると、図３に示すように、受けユニット４０とロックユニット８０とが左右方向に対向する。受けユニット４０とロックユニット８０とは、枠材１５の鉛直部分を横切って、後述する機構により連結される。次にこれらのユニット４０、８０について詳述する。
【００３３】
まず、図４、図５、および図６を参照して、受けユニット４０は、ベース４１と、ベース４１に保持される受け部材４２と、ベース４１と協働して受け部材４２を保持する軸押さえ部材４３と、ベース４１に取り付けられて、ベース４１に保持された受け部材４２を付勢するばね部材４４と、ベース４１の外周を覆うカバー４５と、ベース４１をスライド扉４の閉方向端面に固定するねじ部材４８とを備えている。本実施形態においては、ベース４１と軸押さえ部４３とカバー４５とが、スライド扉４の端面４ａと前壁１ａの何れか一方に固定される筐体を構成している。筐体は、受けユニット４０の外殻を構成するとともに、受けユニット４０に含まれる機能部品（後述するフック受け４２ｂやばね部材４４等）を担持する構造体である。
【００３４】
ベース４１は、側面視長方形であり、受け部材４２を収容するための空間（収容室４１ｆおよびばね室４１ｉ）を有する金属製の構造体である。ベース４１の長辺は、上下方向に沿って配置されている。ベース４１の短辺は、前後方向に沿って配置される。ベース４１の左右の厚みは、受け部材４２を収容するために必要充分な寸法に設定されている。ベース４１の後ろ側には、上下方向に沿って長く延びる長方形に開口する挿通孔４１ａが形成されている。挿通孔４１ａは、上記空間（収容室４１ｆおよびばね室４１ｉ）と連通し、且つ受け部材４２の一部を挿通させて、受け部材４２をベース４１に組み付けるためのものである。挿通孔４１ａ内の上下両側には、段部４１ｑがそれぞれ形成されている。段部４１ｑは、後述する軸押さえ部材４３の板厚分だけ挿通孔４１ａの内奥側に窪んでいる。また、この段部４１ｑには、それぞれ軸溝４１ｂ（図４に上内面の軸溝４１ｂのみ図示）が形成され、挿通孔４１ａと連続している。軸溝４１ｂは、後述するように、受け部材４２を挿通孔４１ａに挿通させた際、受け部材４２の軸部４２ａを支持する軸受部分を構成する部位である。ベース４１の後ろ側には、一対の装着凹部４１ｃが挿通孔４１ａと連続して形成されている。各装着凹部４１ｃは、挿通孔４１ａの前端側の開口縁を後端とする四角形の輪郭を有し、ベース４１の右側面の上下部分において後述する軸押さえ部材４３の板厚分だけ窪んでいる。さらに、各装着凹部４１ｃの中央部には、右側に突出する突起４１ｅが一体形成されている。突起４１ｅは、円形断面の軸形状に形成されている。
【００３５】
図５および図６を参照して、ベース４１の左側面中央部分には、上記空間の一部として、後述する受け部材４２のフック受け４２ｂを収容する収容室４１ｆが形成されている。収容室４１ｆは、左側面視上下方向に長く延びる長方形に形成されている。収容室４１ｆを形成するベース４１の側壁面には、前後に延びる長孔４１ｇが上下二箇所形成されている。長孔４１ｇは、ベース４１をスライド扉４の端面４ａに固定するためのねじ部材４８（図９、図１０参照）を挿通するための挿通孔である。各長孔４１ｇの長手方向（前後方向）の寸法ＥＬ（図５参照）は、ベース４１の取付位置を調整可能にするため、例えば、ねじ部材４８の直径の３−４倍程度に設定されている。
【００３６】
収容室４１ｆを形成するベース４１の側壁面のうち、上側の長孔４１ｇを上下に分割するラインから上側の部位と、下側の長孔４１ｇを上下に分割するラインから下側の部位とには、ローレット部４１ｈがそれぞれ形成されている。ローレット部４１ｈは、ローレット加工により、表面に微細な起伏を有する部位である。ローレット部４１ｈの起伏形状は、周知の通り、種々の態様を取ることが可能であるが、本実施形態では、上下方向（すなわち、長孔４１ｇの長手方向と直交する方向）に沿って延びる多数の線状の稜線を形成するように起伏した形状を呈している。上述のように、ローレット部４１ｈは、長孔４１ｇの周縁のベース４１部分の全域に設けている必要はなく、その一部の領域であってもよい。特にローレット加工が施される部位を本実施形態のように一部の領域に設定した場合には、外観上、ローレット部４１ｈが露出せず、美感が向上する。尤も、美感やコスト上の問題がなければ、ローレット部４１ｈは、ベース４１の上記側壁面において、長孔４１ｇの周縁全域に設けていてもよい。
【００３７】
装着時において、ねじ部材４８を長孔４１ｇに挿通することにより、ローレット部４１ｈは、ねじ部材４８の座面４８ａと対向する。また、ねじ部材４８に図略のワッシャを挿通させている場合、ローレット部４１ｈは、このワッシャの座面と対向する。従って、ねじ部材４８の座面４８ａ、または図略のワッシャの座面は、装着時において、ローレット部４１ｈを圧壊する。そのため、本実施形態では、ローレット部４１ｈが上下方向に沿う線状の稜線を形成する起伏であることと相俟って、ベース４１の前後方向の移動を堅固に規制する。
【００３８】
さらに、収容室４１ｆの上下両側には、仕切り壁４１ｎを介して、ばね室４１ｉが形成されている。ばね室４１ｉは、板ばね状に形成されたばね部材４４を収容する室である。各ばね室４１ｉは、側面でみて、前後に長く延びる長方形に形成されている。ばね部材４４は、その長手方向がベース４１の前後に沿って配置され、基端側がビス４６によってばね室４１ｉに片持ち状に固定される板ばねである。ばね室４１ｉの前方には、上記ビス４６が螺合するねじ孔４１ｊが形成されている。なお、図示の例では、ビス４６とばね部材４４との間に矩形のばね押さえ４７が介装される。
【００３９】
図６に示すように、収容室４１ｆと各ばね室４１ｉとは、上下に配設されて前後に延びる一対の仕切り壁４１ｎによって上下に区切られている。各仕切り壁４１ｎの右側面には、挿通孔４１ａに臨む軸受部４１ｐが形成されている。軸受部４１ｐは、半円形状に窪み、ベース４１に組み付けられた受け部材４２の軸部４２ａが軸溝４１ｂに軸支された際、軸溝４１ｂとともに、軸部４２ａを支持する軸受として機能する。
【００４０】
上述のようなベース４１の材質や、加工方法は、強度等を考慮して適宜選択できる。本実施形態では、耐久性、耐蝕性の観点から、ベース４１は、ダイカスト製品であることが好ましい。この場合において、上記ダイカスト製品の材質としては、例えば、アルミニウム合金が好ましい。また、強度とともに、肉薄で精密な精度を得るため、上記ダイカスト製品の材質は、亜鉛合金が特に好ましい。
【００４１】
次に、図４および図７（Ａ）（Ｂ）を参照して、受け部材４２について説明する。なお、図７（Ａ）（Ｂ）は、理解を容易にするため、ベース４１の仕切り壁４１ｎを省略して、収容室４１ｆとばね室４１ｉとが連通させた状態に図示している。
【００４２】
受け部材４２は、上下に配置される軸部４２ａと、軸部４２ａと一体化されたフック受け４２ｂとを備えている。軸部４２ａは、ベース４１の右側からベース４１の挿通孔４１ａに対し、上下に沿って装着されることにより、軸部４２ａの両端部は、挿通孔４１ａと連続する軸溝４１ｂに軸支される。
【００４３】
フック受け４２ｂは、後述するフック部材８３と係合することにより、施錠構造を構成する略長方形のフレーム状部位である。フック受け４２ｂは、矩形の係止孔４２ｃを形成している（図１１（Ａ）（Ｃ）参照）。フック受け４２ｂの一方の長辺が、軸部４２ａの長手方向に沿って軸部４２ａと一体化されることにより、フック受け４２ｂは、軸部４２ａに片持ち状に形成されている。なお、本実施形態では、フック受け４２ｂとして、略長方形のフレーム状に形成されているが、フック受け４２ｂの具体的な形状は、特に限定するものではなく、半円、半楕円形状や、略コの字状に形成されるものであってもよい。
【００４４】
組付時において、フック受け４２ｂは、図４に示すように、ベース４１の右側からベース４１の挿通孔４１ａに対し、先端側から挿入される。これにより、軸部４２ａの両端部が、それぞれ軸溝４１ｂに嵌入し、軸支される。フック受け４２ｂの上下寸法は、ベース４１の仕切り壁４１ｎによって規定される収容室４１ｆの上下寸法内に収まる長さに設定されている。
【００４５】
受け部材４２は、軸部４２ａがベース４１の軸溝４１ｂおよび軸受部４１ｐに軸支された状態で、ベース４１に組み付けられる。受け部材４２は、ロック姿勢（図７（Ａ）、図８（Ａ））と退避姿勢（図７（Ｂ）、図８（Ｂ））との間で変位する。ロック姿勢において、フック受け４２ｂは、ベース４１から概ね９０°以上傾斜して突出し、受け部材４２の組付時においては、前壁１ａに略沿った姿勢となる。これにより、後述するフック部材８３は、フック姿勢にある受けユニット４０と係合することができる（図１０、図１１（Ａ）〜（Ｃ）参照）。よって、従来のようなチェーンや南京錠を用いた構造に比べて、操作性の高い施錠構造を提供することができる。一方、退避姿勢において、フック受け４２ｂは、ベース４１の収容室４１ｆ内に収容される。これにより、受けユニット４０は、コンパクトに収まり、スライド扉４の美感が向上する。また、庫口３を通行する際に、受け部材４２がじゃまになる恐れもない。ロック姿勢と退避姿勢との間のストロークは、ベース４１によって規定される。
【００４６】
受け部材４２がベース４１に組み付けられ、軸部４２ａがベース４１の軸溝４１ｂおよび軸受部４１ｐに軸支された状態において、軸部４２ａのうち、各ばね室４１ｉに臨む部位には、当該ばね室４１ｉ内で軸部４２ａとともに回動するスリーブ部４２ｄがそれぞれ形成されている。スリーブ部４２ｄは、軸部４２ａよりも径方向に膨出し、且つ軸部４２ａと同心に形成されている。
【００４７】
図８（Ａ）（Ｂ）を参照して、スリーブ４２ｄは、軸方向に直交する断面について、円弧状部４２１と、円弧状部４２１の両端からそれぞれ軸部４２ａの略接線方向に平行に延びる直線部４２２と、各直線部４２２の先端を繋ぐ突出部４２３とを備え、全体視略起きあがりこぼし状に構成されている。
【００４８】
円弧状部４２１は、その中心角θ１が１８０°ないしそれよりも若干大きく設定され、両端が略直線状に構成されている。各直線部４２２は、それぞれの中心角θ２が円弧状部４２１よりも小さく、突出部４２３よりも大きく設定されている。本実施形態では、各直線部４２２の中心角θ２が略６０°に設定されている。また、直線部４２２のうち一方はフック受け４２ｂの延出方向に対して略水平に延び、他方はフック受け４２ｂの延出方向に対して略直角方向に延びる。
【００４９】
突出部４２３は、中心角が円弧状部４２１の中心角θ１及び直線部４２２の中心角θ２よりも小さく設定されている。突出部４２３は、周方向の隅部が面取りされて円弧状に構成されている。この突出部４２３の可動範囲は、スリーブ部４２ｄの先後方向中心線Ｌを越えるように設定されている。
【００５０】
この突出部４２３の表面がカム面４２ｅとして構成されている。言い換えれば、カム面４２ｅは、スリーブ部４２ｄの一部を切り欠いて、別の部分を軸部４２ａの回転中心Ｏ回りに沿うリブ状に隆起させることにより、当該リブ状部位の外周面によって構成されている。カム面４２ｅは、ロック姿勢と退避姿勢との間の全ストロークにおいて、ばね部材４４の付勢力を受けることができる部位に形成されている。
【００５１】
カム面４２ｅを形成する上記リブ状部位の周方向一端部は、第１の受圧部４２ｆを構成している。この第１の受圧部４２ｆは、ばね部材４４の付勢力が回転中心Ｏに向かう位置と前記回転中心Ｏとを結ぶ中心線Ｌよりも後方でばね部材４４の付勢力Ｆ１を受ける。この結果、第１の受圧部４２ｆは、図８（Ａ）に示すように、受け部材４２をロック姿勢に付勢する方向（図８（Ａ）の方向からみて、軸部４２ａの時計回り方向）の力Ｆ１をばね部材４４から受けることになる。そのため、受け部材４２は、ロック姿勢に付勢され、保持される。受け部材４２がロック姿勢にあるとき、フック受け４２ｂは、スライド扉４の移動方向に概ね沿って、開口３（図１参照）の前方に臨んでいる。この状態で第１の受圧部４２ｆがばね部材４４から付勢力を受けることにより、その力Ｆ１は、フック受け４２ｂを上記ストロークのロック姿勢に付勢する方向に作用する。これにより、フック受け４２ｂは、ロック姿勢に押し付けられ、スライド扉４の移動方向に概ね沿って、安定した姿勢で停止することになる。
【００５２】
一方、カム面４２ｅを形成する上記リブ状部位の周方向他端部は、第２の受圧部４２ｇを構成している。この第２の受圧部４２ｇは、受け部材４２が退避姿勢にあるときに、上記中心線Ｌよりも前方でばね部材４４の付勢力Ｆ２を受ける。この結果、第２の受圧部４２ｇは、図８（Ｂ）に示すように、受け部材４２を退避姿勢に付勢する方向（図８（Ｂ）の方向からみて、軸部４２ａの反時計回り方向）の力Ｆ２をばね部材４４から受けることになる。そのため、受け部材４２は、退避姿勢に付勢され、保持される。受け部材４２が退避姿勢にあるとき、フック受け４２ｂは、前後方向に概ね沿って、ベース４１内に収まっている。この状態で、第２の受圧部４２ｇがばね部材４４から付勢力を受けることにより、その力Ｆ２は、フック受け４２ｂを退避姿勢に付勢する方向に作用する。これにより、フック受け４２ｂは、退避姿勢に押し付けられ、安定した姿勢でベース４１内に収まっている。
【００５３】
上述のような受け部材４２の材質や、加工方法は、強度等を考慮して適宜選択できる。本実施形態では、耐久性、耐蝕性の観点から、受け部材４２は、ダイカスト製品であることが好ましい。この場合において、上記ダイカスト製品の材質としては、例えば、アルミニウム合金が好ましい。また、強度とともに、肉薄で精密な精度を得るため、上記ダイカスト製品の材質は、亜鉛合金が特に好ましい。
【００５４】
軸押さえ部材４３は、組付時において、ベース４１に固定され、受け部材４２をベース４１とともに支持する部材である。軸押さえ部材４３は、ベース４１の側面からみて、挿通孔４１ａおよび装着凹部４１ｃの輪郭を縁取った概ね「凹」の字形の外観を呈する板状の部材である。軸押さえ部材４３は、装着凹部４１ｃに対応する一対の取付片４３ａと、挿通孔４１ａに対応する軸受部４３ｂとを一体に有する。各取付片４３ａは、ベース４１の装着凹部４１ｃの輪郭に適合する四角形の輪郭を有している。また、各取付片４３ａは、装着凹部４１ｃに突設された突起４１ｅの挿通孔４３ｃを形成している。さらに、軸受部４３ｂは、ベース４１の挿通孔４１ａの輪郭に適合して、挿通孔４１ａおよびその内奥側に形成された軸溝４１ｂを塞ぐ長方形の輪郭を有している。また、組付時において、軸受部４３ｂが受け部材４２のスリーブ部４２ｄに対向する部位には、当該スリーブ部４２ｄと摺接する軸受面が形成されている。受け部材４２をベース４１に組み付けた後、ベース４１の右側から軸押さえ部材４３を組み付けることにより、一対の取付片４３ａが装着凹部４１ｃに嵌入し、軸受部４３ｂが挿通孔４１ａに嵌入する。これにより、図７（Ａ）（Ｂ）に示すように、軸押さえ部材４３の右側面は、ベース４１の右側面と面一に組み付けられる。また、軸受部４３ｂは、受け部材４２のスリーブ部４２ｄの外周面を受け、軸受部材として機能する。さらに、装着凹部４１ｃの突起４１ｅは、組付後にプレス加工等により、圧壊される。図示の例において、各取付片４３ａの挿通孔４３ｃは、右側面側がテーパ状に面取りされている。そのため、圧壊した突起４１ｅの端部は、挿通孔４３ｃの面取り部分に拡がり、軸押さえ部材４３を止定する。
【００５５】
図７（Ａ）（Ｂ）および図８（Ａ）（Ｂ）を参照して、軸押さえ部材４３の左側面には、軸部４２ａおよびスリーブ部４２ｄの周面を受ける円弧面が形成されている。円弧面は、軸溝４１ｂと協働して、軸部４２ａを軸支する軸受を構成する。
【００５６】
上述のような軸押さえ部材４３の材質や、加工方法は、強度等を考慮して適宜選択できる。本実施形態では、耐久性、耐蝕性の観点から、軸押さえ部材４３は、ダイカスト製品であることが好ましい。この場合において、上記ダイカスト製品の材質としては、例えば、アルミニウム合金が好ましい。また、強度とともに、肉薄で精密な精度を得るため、上記ダイカスト製品の材質は、亜鉛合金が特に好ましい。
【００５７】
図４および図７（Ａ）（Ｂ）を参照して、ばね部材４４は、ばね室４１ｉごとにひとつずつ配設される板ばねである。ばね部材４４の先端部は、受け部材４２のスリーブ部４２ｄのカム面４２ｅをロック姿勢および退避姿勢のそれぞれの姿勢において付勢する。
【００５８】
次に、図４および図７（Ａ）（Ｂ）を参照して、カバー４５は、側板部４５ａと、周壁部４５ｂと有し、ベース４１を左側から覆う側面視長方形の外殻部材である。カバー４５は、開口４５ｃを形成している。開口４５ｃは、中央部分が左右を開放するように大きく開くとともに後部側も開いている。また、開口４５ｃの上下寸法は、ベース４１の収容室４１ｆのみを開く寸法に設定されている。このため、受け部材４２は、開口４５ｃを介して、ベース４１の外側に突出することができるように構成されている。
【００５９】
カバー４５の側板部４５ａは、ベース４１の側面を覆う板状の部位である。
【００６０】
カバー４５の周壁部４５ｂは、側板部４５ａの周縁部から延設され、ベース４１の外周面を覆う部位である。周壁部４５ｂの適所には、複数の係止爪４５ｅ、４５ｆが形成されている。一方、ベース４１の外周部には、各係止爪４５ｅ、４５ｆを係止させる溝４１ｋ、４１ｍが形成されている。そして、図４に示すように、ベース４１の左側面から、カバー４５を嵌め合わすことにより、各係止爪４５ｅ、４５ｆが溝４１ｋ、４１ｍの周縁部に係止し、カバー４５は、ベース４１と一体化される。
【００６１】
上述のようなカバー４５の材質や、加工方法は、強度等を考慮して適宜選択できる。本実施形態では、耐久性、耐蝕性の観点から、カバー４５は、ダイカスト製品であることが好ましい。この場合において、上記ダイカスト製品の材質としては、例えば、アルミニウム合金が好ましい。また、強度とともに、肉薄で精密な精度を得るため、上記ダイカスト製品の材質は、亜鉛合金が特に好ましい。
【００６２】
次に、ロックユニット８０について説明する。ロックユニット８０は、受けユニット４０と協働して、スライド扉４の施錠構造を構成する。かかる機能を奏するため、ロックユニット８０は、受けユニット４０と同じ高さにおいて、前壁１ａに固定されている。
【００６３】
図３、図９、図１０を参照して、ロックユニット８０は、ベース部材８１と、支承部材８２と、フック部材８３と、キーユニット８４と、カバー８５とを備えている金属製部材である。
【００６４】
ベース部材８１は、スライド扉４の閉方向において、枠材１５の鉛直部分よりも下流側（図３における枠材１５の左側）に配置され、この位置で枠材１５と当接している。ベース部材８１は、取付部材としてのボルト８６によって、前壁１ａに固定されている。ボルト８６は、前壁１ａの裏面側、すなわち、冷蔵庫１の内側から前壁１ａを貫通して前方に延び、ベース部材８１のねじ部８１ａに螺合している。また、ボルト８６の基部には、取っ手８６ａが固定されている。作業者は、この取っ手８６ａを把持してボルト８６を回動し、ベース部材８１からボルト８６を螺脱させ、後方に引き抜くことができる。このため、ベース部材８１は、冷蔵庫１の内側から取り外すことが可能になっている。なお、本実施形態において、ベース部材８１は、枠材１５の側面に当接した状態で前壁１ａに固定される。そのため、ボルト８６が一本のみであっても、ボルト８６の回動時にベース部材８１が連れ回りする恐れはない。
【００６５】
上述のようなベース部材８１の材質や、加工方法は、強度等を考慮して適宜選択できる。本実施形態では、耐久性、耐蝕性の観点から、ベース部材８１は、ダイカスト製品であることが好ましい。この場合において、上記ダイカスト製品の材質としては、例えば、アルミニウム合金が好ましい。また、強度とともに、肉薄で精密な精度を得るため、上記ダイカスト製品の材質は、亜鉛合金が特に好ましい。
【００６６】
支承部材８２は、ベース部材８１の前部に固定され、ベース部材８１から前方に突出してベース部材８１とともにフック部材８３やキーユニット８４を保持する構造体である。まず、フック部材８３を支持するため、支承部材８２には、シャフト８７が取り付けられる。シャフト８７は、鉛直軸に沿って支承部材８２に固定され、フック部材８３を鉛直線回りに軸支している。
【００６７】
図３、図９、図１０、および図１１（Ａ）〜（Ｃ）を参照して、フック部材８３は、シャフト８７に軸支されるボス部８３ａと、このボス部８３ａの一接線方向に沿って突出する鉤部８３ｂと、ボス部８３ａから、前記鉤部８３ｂと所定の角度を有する別の接線方向に沿って突出する連結部８３ｃとが一体化された金属製部材である。図３および図１０に示すように、フック部材８３は、スライド扉４を閉じている状態において、ボス部８３ａをシャフト８７回りに回動させることにより、鉤部８３ｂの先端側をロック姿勢にある受け部材４２に近接する方向（図９、図１０において、反時計回り方向）に回動させ、受け部材４２のフック受け４２ｂに鉤部８３ｂを係止させることができるように構成されている。
【００６８】
上述のようなフック部材８３の材質や、加工方法は、強度等を考慮して適宜選択できる。本実施形態では、耐久性、耐蝕性の観点から、フック部材８３は、ダイカスト製品であることが好ましい。この場合において、上記ダイカスト製品の材質としては、例えば、アルミニウム合金が好ましい。また、強度とともに、肉薄で精密な精度を得るため、上記ダイカスト製品の材質は、亜鉛合金が特に好ましい。
【００６９】
ボス部８３ａは、シャフト８７によって鉛直線回りに軸支される部位である。鉤部８３ｂは、ボス部８３ａに対し、片持ち状に設けられた腕部８３ｄと、この腕部８３ｄの先端部分に形成された爪部８３ｅとが一体に形成された部位である。腕部８３ｄは、ボス部８３ａの一接線方向に沿っている。ボス部８３ａがシャフト８７回りに回動すると、腕部８３ｄもまた、ボス部８３ａと一体的に回動する。腕部８３ｄが回動する範囲は、後述する連結部８３ｃとキーユニット８４によって規定される範囲（例えば、略１０°）に設定されている。腕部８３ｄの回動範囲内で鉤部８３ｂの先端側がロック姿勢にある受け部材４２に近接する回動方向において、爪部８３ｅは、腕部８３ｄの先端部から上記回動方向の下流側に向かって突出している。爪部８３ｅの平面形状（図１１（Ｂ）参照）は、上記回動方向の下流側に行くにつれて先端が細くなる方向に傾斜している。また、爪部８３ｅの外側面（腕部８３ｄの先端側に向く面）には、水平軸回りの円弧に沿う円弧面８３ｆ（図１１（Ａ）（Ｃ）参照）が形成されている。さらに、爪部８３ｅの内側面（腕部８３ｄのボス部８３ａ側に向く面）には、腕部８３ｄと概ね直角に屈曲する係止面８３ｇが形成されている。
【００７０】
連結部８３ｃは、ボス部８３ａを挟んだ腕部８３ｄの反対側において、ボス部８３ａから水平に片持ち状に突出する部位である。連結部８３ｃが組付時にベース部材８１と対向する部位には、スプリングシート８３ｈが形成されている。ベース部材８１には、スプリングシート８３ｈに対向するスプリングシート８１ｂが形成されている。このスプリングシート８１ｂと、連結部８３ｃのスプリングシート８３ｈとの間には、圧縮コイルばね８８が介装される。コイルばね８８は、鉤部８３ｂの爪部８３ｅがロック姿勢にある受け部材４２に近接する方向（図９および図１０において、反時計回り方向）にフック部材８３を付勢する。また、連結部８３ｃが組付時にベース部材８１と反対側に向く部位には、キーユニット８４からの力を受けるためのカム面８３ｉが形成されている。カム面８３ｉは、組付時において、キーユニット８４のカム部材９０と係合し、カム部材９０から力を受けることにより、シャフト８７を支点としてフック部材８３全体をシャフト８７回りに回動させる力点として機能する。カム面８３ｉの形状は、キーユニット８４との兼ね合いで種々の形状が考えられるが、本実施形態におけるカム面８３ｉは、後述するキーユニット８４のカム面９０ａの形状に適合するように、腕部８３ｄの長手方向に対し、シャフト８７回りに所定の角度をもって傾斜している。
【００７１】
キーユニット８４は、フック部材８３のカム面８３ｉに係合するカム部材９０と、カム部材９０を支持するキーシリンダ９１とを有している。カム部材９０は、全体が円形断面であり、一方の端部が傾斜した斜切円柱形状を呈している。カム部材９０の斜めになった端部は、フック部材８３のカム面８３ｉに常時当接するカム面９０ａを形成している。
【００７２】
キーシリンダ９１は、カム部材９０を保持する内筒と、この内筒を回動可能に支持する外筒とを有し、内筒の先端部に形成されたキー溝内に図略のキーを挿入して回動操作することにより、外部からカム部材９０を中心線回りに回動操作するための公知のユニットである。カム部材９０は、上記回動操作によって、カム面９０ａがフック部材８３のカム面８３ｉを後方へ押し込むロック解除姿勢（図９の姿勢）と、フック部材８３のカム面８３ｉと概ね平行に沿って、カム面８３ｉへの押し込みを解除するロック姿勢（図１０の姿勢）との間で回動する。
【００７３】
カム面９０ａがロック解除姿勢にあるとき、フック部材８３の連結部８３ｃは、圧縮コイルばね８８の付勢力に抗して後方に押し込まれている。このため、鉤部８３ｂの爪部８３ｅは、図９に示すように、受け部材４２から離反する方向に回動した離脱姿勢を取る。この図９に示す離脱姿勢においては、ロック姿勢にある受け部材４２の係止孔４２ｃから爪部８３ｅが離脱し、スライド扉４の施錠が解除される。
【００７４】
一方、カム面９０ａがロック姿勢にあるとき、フック部材８３は、圧縮コイルばね８８の付勢力によって、係合姿勢を取る。この係合姿勢では、鉤部８３ｂの爪部８３ｅが図１０に示すように、受け部材４２に近接する方向に回動している。そのため、受け部材４２が予めロック姿勢にある場合において、スライド扉４が庫口３を閉じているときは、受け部材４２の係止孔４２ｃ内に爪部８３ｅが入り込み、フック部材８３が受け部材４２と係合されてスライド扉４を施錠することができる。
【００７５】
カバー８５は、ロックユニット８０の外殻を構成する金属製の構造体である。カバー８５は、前部にキーユニット８４のキーシリンダ９１を堅固に保持するスリーブ８２ａを有している。また、図示の例において、カバー８５は、ベース部材８１に対し、着脱可能に組み付けられている。これにより、種類の異なる複数の仕様のカバー８５を同一のベース部材８１に取り付け、ベース部材８１の汎用性を高めるとともに、種々のニーズに適合したカバー８５を選択することが可能になっている。カバー８５の右側面には、開口８５ａが形成されている。開口８５ａは、受けユニット４０の受け部材４２を挿抜可能な大きさで開いている。
【００７６】
上述のようなカバー８５の材質や、加工方法は、強度等を考慮して適宜選択できる。本実施形態では、耐久性、耐蝕性の観点から、カバー８５は、ダイカスト製品であることが好ましい。この場合において、上記ダイカスト製品の材質としては、例えば、アルミニウム合金が好ましい。また、強度とともに、肉薄で精密な精度を得るため、上記ダイカスト製品の材質は、亜鉛合金が特に好ましい。
【００７７】
次に、受けユニット４０およびロックユニット８０を冷蔵庫１に組み付けた状態について説明する。
【００７８】
図９を参照して、受けユニット４０は、スライド扉４の左側の閉方向端面４ａに固定される。具体的には、ベース４１の各長孔４１ｇに、それぞれねじ部材４８を左側面から挿通し、スライド扉４に形成されているねじ穴４ｂに螺合する。このとき、受けユニット４０は、各長孔４１ｇが前後方向に沿うように配置され、ねじ部材４８によって固定される。そのため、後ねじ部材４８によって締め付けられる位置を長孔４１ｇの長手方向に沿って変更することにより、ベース４１の取付位置を調整することが可能となる。
【００７９】
一方、ロックユニット８０は、枠材１５の左側に配置され、ボルト８６によって、前壁１ａの内側から固定される。枠材１５は、前方に張り出しているが、カバー８５は、平面でみて、この枠材の輪郭に沿って枠材１５の前方にせり出している。カバー８５の開口は、枠材１５の前方で、スライド扉４に向かい開いている。
【００８０】
次に、受けユニット４０とロックユニット８０の動作について説明する。
【００８１】
施錠する際には、予め受け部材４２を図９に示す退避姿勢からロック姿勢に変位させる。上述したように、受けユニット４０のカバー４５には、開口４５ｃが形成されているので、作業者は、開口４５ｃから受け部材４２を把持して回動することにより、容易に受け部材４２を退避姿勢からロック姿勢に変位させることができる。
【００８２】
この作業においては、受け部材４２が図７（Ａ）（Ｂ）、図８（Ａ）（Ｂ）に示した中心線Ｌを越えた時点で、ばね部材４４の付勢力が受け部材４２を退避姿勢に付勢する方向からロック姿勢に付勢する方向にシフトする。そして、中心線Ｌを越えた後は、ばね部材４４の付勢力によって加勢された状態で、受け部材４２の姿勢をロック姿勢に変位させることができる。よって、作業者は、付勢力の切り替わりを感取しつつ、確実に受け部材４２の姿勢を変位することができる。
【００８３】
受け部材４２をロック姿勢に変位させた後、作業者がスライド扉４を左側に移動し、庫口３を閉じると、図１０に示すように、スライド扉４は、後面が枠材１５の前方に臨む位置で停止する。この状態では、スライド扉４に固定されたシール部材１６が幾分撓んだ状態で枠材１５の前方に押し付けられ、スライド扉４と枠材１５との間の隙間をシールする。また、受けユニット４０の受け部材４２は、その先端部がロックユニット８０の開口８５ａに幾分入り込んだ位置で停止する。この状態で、作業者が、ロックユニット８０のキーユニット８４を図略のキーによって回動操作し、カム部材９０を図９のロック解除姿勢から図１０のロック姿勢に変位させると、フック部材８３は、図９の離脱姿勢から係合姿勢に変位する。この結果、フック部材８３の鉤部８３ｂが受け部材４２の係止孔４２ｃ内に入り込み、フック部材８３は、受け部材４２と係合する。このフック部材８３と受け部材４２の係合により、スライド扉４が施錠される。なお、この実施形態では、フック部材８３の鉤部８３ｂの自由端部に、円弧状に突出する円弧面８３ｆが形成されており、この円弧面８３ｆは、フック部材８３が係合姿勢にあるときに、ロック姿勢にある受け部材４２のフック受け４２ｂに対向している。一方、フック受け４２ｂの先端部分は、先端側が突出する円弧状に形成されている。さらにまた、フック部材８３は、専ら圧縮コイルばね８８の付勢力のみによって、離脱姿勢側から係合姿勢に付勢されており、係合姿勢から離脱姿勢に変位する方向に対しては、カム部材９０の規制を受けていない。そのため、フック部材８３が係合姿勢にあるときに、ロック姿勢にある受け部材４２のフック受け４２ｂが左側（スライド扉４を閉じる方向）に移動し、フック部材８３の円弧面８３ｆに当接する、フック受け４２ｂの押し込み力によって、フック部材８３が一時的に退避姿勢に変位し、その後、鉤部８３ｂの爪部８３ｅがフック受け４２ｂの先端部分を乗り越えて係止孔４２ｃに係合するように作用する。この結果、ロック時においては、フック部材８３をロック姿勢に変位した状態でスライド扉４を閉じるだけで、自動的に施錠することが可能となる。
【００８４】
ところで、仮に作業者等が、冷蔵庫１の庫内に入っているときに、不随意にスライド扉４が施錠されてしまった場合には、ボルト８６の取っ手８６ａを回わし、ボルト８６を庫内に引き出すことにより、ロックユニット８０を取り外すことができる。図示の通り、フック部材８３の爪部８３ｅは、前壁１ａの前方に向かって受け部材４２に係合している。そのため、ロックユニット８０が取り外されたときのロックユニット８０の挙動は、そのままフック部材８３を受け部材４２から離脱させるように機能する。よって、庫内に作業者が閉じこめられた緊急時においても、迅速且つ確実にロック解除を図ることができる。
【００８５】
以上説明したように、本実施形態では、上述のような受けユニット４０を設け、この受けユニット４０と、冷蔵庫１のスライド扉４施錠用受けユニット４０と協働して施錠手段を構成するロックユニット８０とを備えた施錠装置２０を設け、受け部材４２の操作時にクリック感を得ることのできる受けユニット４０を用いて、庫口３を閉じたスラド扉４を施錠し、スライド扉４を用いた冷蔵庫１のセキュリティを確保することができる。従って、従来品と同様に、施錠時の操作性が高くなり、外観が向上する。
【００８６】
加えて、受け部材４２がロック姿勢にある場合、ばね部材４４の付勢力は、第１の受圧部４２ｆから受け部材４２に伝達され、受け部材４２は、図７（Ａ）、図８（Ａ）に示したように、ロック姿勢に加勢される。一方、受け部材４２が退避姿勢にある場合、ばね部材４４の付勢力は、第２の受圧部４２ｇから受け部材４２に伝達され、受け部材４２は、図７（Ｂ）、図８（Ｂ）に示したように、退避姿勢に加勢される。従って、ばね部材４４で受け部材４２を付勢することにより、受け部材４２の姿勢を安定させることができる。しかも、ロック姿勢と退避姿勢との間で受け部材４２の姿勢が切り替わる過程で、ばね部材４４の付勢力を受ける部位が第１の受圧部４２ｆと第２の受圧部４２ｇとの間で切り替わるたびに、作業者は、ばね部材４４の付勢力が切り替わるのを感じ取る（いわゆるクリック感を得る）ことができ、操作の確実性を確保することも可能となる。
【００８７】
しかも、本実施形態では、施錠が必要なときにのみ、受け部材４２をベース４１から突出させておくことができる。一方、スライド扉４が庫口３を開いているときは、受け部材４２をベース４１内に倒伏させて、退避姿勢を取ることができる。従って、冷蔵庫１の美感が向上するばかりでなく、庫口３の通行時に受け部材４２がじゃまになる恐れもなくなる。
【００８８】
さらに、受けユニット４０に収容される受け部材４２の姿勢を変位可能に構成していることから、スライド扉４や前壁１ａに受け部材４２を出没させるための凹部（埋め込み部）を設ける必要がない。そのため、施工が容易にでき、既設の冷蔵庫１に対しても後付けが容易になるという利点がある。
【００８９】
また、本実施形態では、ばね部材４４は、退避姿勢にある受け部材４２に沿った姿勢で配置され、且つ一端部がベース４１に固定されるとともに他端部がカム面４２ｅを押圧する板ばねで構成されている。このため本実施形態では、板ばねで構成されたばね部材４４が退避姿勢にある受け部材４２に沿った姿勢で配置されるので、冷蔵庫１のユーザの邪魔にならないようにベース４１の薄型化に寄与することができ、美感も向上する。
【００９０】
また、本実施形態では、軸部４２ａは、鉛直軸回りに受け部材４２を回動可能に支持するものであり、受け部材４２は、スライド扉４の移動方向に沿ってロック姿勢に突出するものであり、フック部材８３は、鉛直線回りに回動する腕部と、腕部の先端部から回動方向に突出する爪部８３ｅとを備え、受け部材４２に対し、前壁１ａに近接する方向へ回動することにより、離脱姿勢から係合姿勢に変位するものである。このため本実施形態では、スライド扉４が左開きのものであっても右開きのものであっても、同一の受けユニット４０およびロックユニット８０を採用することができる。このため、製品に汎用性を持たせることができ、部品管理や流通性が向上することになる。
【００９１】
また、本実施形態では、受けユニット４０は、スライド扉４の閉方向端面４ａに取り付けられており、ロックユニット８０は、前壁１ａの内側から当該ロックユニット８０を前壁１ａから取り外し操作可能なボルト８６によって前壁１ａの外側に固定されている。このため本実施形態では、作業者等が冷蔵庫１の中にいる場合において、不随意にロックがかかったときに、作業者等は、冷蔵庫１の中からボルト８６を操作することにより、ロックユニット８０を強制的に前壁１ａから離脱することができる。本実施形態では、フック部材は、受け部材４２に対し、前壁１ａに近接する方向へ回動することにより、離脱姿勢から係合姿勢に変位するように構成されているので、ロックユニット８０が前壁１ａから外れるときの方向は、フック部材８３が係合姿勢から離脱姿勢に移動する方向に沿うことになる。そのため、ロックユニット８０が前壁１ａから外れるときの動作は、フック部材８３を係合姿勢から離脱姿勢に移動させる動作として作用する。これにより、緊急時に作業者等が冷蔵庫１の中から施錠装置２０のロックを解除し、冷蔵庫１の外に出ることが可能になる。
【００９２】
また、上述した実施形態では、筐体の一部を構成するベース４１が、退避姿勢に変位した受け部材４２を受けユニット４０に収容可能に構成されていることから、スライド扉４に受け部材４２を出没させるための凹部（埋め込み部）を設ける必要がない。そのため、施工が容易にでき、既設の冷蔵庫１に対しても後付けが容易になるという利点がある。
【００９３】
本発明は、上述した実施の形態に限定されるものではなく、本発明の要旨を逸脱しない範囲内において種々変更を加え得ることはいうまでもない。
【００９４】
例えば、上述した実施形態では、受けユニット４０をスライド扉４の端面４ａに取り付け、ロックユニット８０を前壁１ａに取り付けていたが、ロックユニットとして、特許文献１に開示されている引戸鍵を採用し、これをスライド扉４に設ける一方、受けユニット４０を前壁１ａに取り付けてもよい。尤も、本実施形態のように、ロックユニット８０を前壁１ａに取り付け、受けユニット４０をスライド扉４の端面４ａに取り付けた場合には、取付部材としてのボルト８６による緊急時のロック解除機構を一層容易に構成することができるので、ロックユニット８０は、前壁１ａに取り付けられている方が好ましい。
【００９５】
また、受けユニット４０の軸部は、上述した実施形態の通り、鉛直軸回りにベース４１に取り付けられていることが好ましい。しかし、ロックユニットの態様によっては、鉛直軸回りに限らず、例えば、水平軸回りに受け部材（フック受け）を回動可能に支持する者であってもよい。
【００９６】
また、ばね部材４４は、薄肉化等の観点から、板ばねが好適ではあるが、板ばねに限定することなく、例えば、圧縮コイルばねを採用してもよい。また、捩りコイルばねをベース４１に内蔵し、その一端をベース４１に係止する一方、他端を軸部４２ａのカム面４２ｅに係止させる構成を採用してもよい。
【００９７】
また、ばね部材４４を筐体に取り付ける際には、上述した実施形態のように、ベース４１に取り付けることが好ましいが、例えば、カバー４５に板ばねを片持ち状に取り付け、装着時に当該板ばねの自由端を軸部４２ａのカム面４２ｅに係止させて、軸部４２ａに付勢力を付与する構成を採用してもよい。
【符号の説明】
【００９８】
１     冷蔵庫
１ａ   前壁
３     庫口
４     スライド扉
４ａ   閉方向端面
２０   施錠装置
４０   受けユニット
４１   ベース（筐体の要素）
４２   受け部材
４２ａ 軸部
４２ｅ カム面
４２ｆ 第１の受圧部
４２ｇ 第２の受圧部
８０   ロックユニット
８３   フック部材
８６   ボルト（取付部材の一例）
Ｆ１   付勢力
Ｆ２   付勢力
Ｌ     分割線
Ｏ     回転中心
【図１】
0006452524.tif 000002
【図２】
0006452524.tif 000003
【図３】
0006452524.tif 000004
【図４】
0006452524.tif 000005
【図５】
0006452524.tif 000006
【図６】
0006452524.tif 000007
【図７】
0006452524.tif 000008
【図８】
0006452524.tif 000009
【図９】
0006452524.tif 000010
【図１０】
0006452524.tif 000011
【図１１】
0006452524.tif 000012